(57)【要約】【課題】ウェイクアップＩＤの誤検知率を抑制可能な端末装置を提供する。【解決手段】端末装置は、ウェイクアップＩＤ（＝１００１００１１）をフレーム長によって変調してウェイクアップＩＤを構成する複数の無線ＬＡＮフレームＦＬ２，ＦＬ１，ＦＬ０，ＦＬ３を生成する。そして、端末装置は、２つの無線ＬＡＮフレーム間の間隔がＳＩＦＳになるように複数の無線ＬＡＮフレームＦＬ２，ＦＬ１，ＦＬ０，ＦＬ３を時間方向に連続して送信する。無線基地局は、端末装置から送信された複数の無線フレームＦＬ２，ＦＬ１，ＦＬ０，ＦＬ３を受信し、その受信した複数の無線フレームＦＬ２，ＦＬ１，ＦＬ０，ＦＬ３に基づいてウェイクアップＩＤのマッチングを判定し、ウェイクアップＩＤがマッチングするとき、スリープ状態から起動状態へ移行する。【選択図】図５
2013085087.tif 000002
【特許請求の範囲】
【請求項１】
起動させる無線基地局を示すウェイクアップＩＤを生成し、その生成したウェイクアップＩＤを無線フレーム長に変調して前記ウェイクアップＩＤを示す複数の無線フレームを生成する生成手段と、
２つの無線フレーム間の間隔がチャネルがビジーであると扱われる固定長になるように前記複数の無線フレームを時間方向に連続して送信する送信手段とを備える端末装置。
【請求項２】
前記複数の無線フレームの各々におけるフレーム長と前記２つの無線フレーム間の間隔とが前記複数のフレームの受信信号をサンプリングするときのサンプリング周期の整数倍である、請求項１に記載の端末装置。
【請求項３】
前記２つの無線フレーム間の間隔は、前記無線基地局で生成されたウェイクアップＩＤと前記生成手段によって生成されたウェイクアップＩＤとが一致するか否かを判定するときに前記無線基地局において生成される等価ウェイクアップＩＤの一部分である、請求項１または請求項２に記載の端末装置。
【請求項４】
起動させる無線基地局を示すウェイクアップＩＤを無線フレーム長に変調して生成され、かつ、２つの無線フレーム間の間隔がチャネルがビジーであると扱われる固定長になるように送信された複数の無線フレームを受信する受信手段と、
前記受信手段によって受信された複数の無線フレームを包絡線検波して包絡線を検出し、その検出した包絡線をサンプリング周期でサンプリングして前記複数の無線フレームの受信信号を検出する検出手段と、
当該無線基地局のウェイクアップＩＤを無線フレーム長と前記複数の無線フレームのうちの２つの無線フレーム間の間隔とを用いて変調して生成された等価ウェイクアップＩＤと、前記受信信号とが一致するか否かを判定する判定手段と、
前記判定手段によって前記等価ウェイクアップＩＤが前記受信信号に一致すると判定されたとき、ウェイクアップ指示を生成する起動手段と、
起動状態であるとき、端末装置と無線通信を行うとともにネットワークを介して通信装置と通信を行い、スリープ状態であるとき、前記ウェイクアップ指示を受けると、スリープ状態から起動状態へ移行するメイン装置とを備える無線基地局。
【請求項５】
前記判定手段は、前記等価ウェイクアップＩＤと同じ長さを有する相関窓を作成し、その作成した相関窓を用いて前記等価ウェイクアップＩＤと前記受信信号との相関を演算し、その演算した相関が閾値よりも大きいとき、前記等価ウェイクアップＩＤが前記受信信号に一致すると判定する、請求項４に記載の無線基地局。
【請求項６】
前記判定手段は、前記等価ウェイクアップＩＤと前記受信信号との相関を演算し、その演算した相関が閾値よりも大きいとき、前記等価ウェイクアップＩＤが前記受信信号に一致すると判定する、請求項４に記載の無線基地局。
【請求項７】
起動させる無線基地局を示すウェイクアップＩＤを無線フレーム長に変調して生成され、かつ、２つの無線フレーム間の間隔がチャネルがビジーであると扱われる固定長になるように送信された複数の無線フレームを受信する受信手段と、
前記受信手段によって受信された複数の無線フレームを包絡線検波して包絡線を検出し、その検出した包絡線をサンプリング周期でサンプリングして前記複数の無線フレームの受信信号を検出する検出手段と、
当該無線基地局のウェイクアップＩＤを無線フレーム長と前記複数の無線フレームのうちの２つの無線フレーム間の間隔とを用いて変調して生成された等価ウェイクアップＩＤを作成し、その作成した等価ウェイクアップＩＤと同じ長さを有する相関窓を作成し、その作成した相関窓が１である部分窓において前記等価ウェイクアップＩＤと前記受信信号との相関を演算して前記複数の無線フレームの各無線フレームの両端の位置を検出し、その検出した両端の位置に基づいて前記複数の無線フレームの複数の長さを検出し、その検出した複数の長さを第１のウェイクアップＩＤへ復調し、その復調した第１のウェイクアップＩＤが当該無線基地局で生成された第２のウェイクアップＩＤに一致するか否かを判定する判定手段と、
前記判定手段によって前記第１のウェイクアップＩＤが前記第２のウェイクアップＩＤに一致すると判定されたとき、ウェイクアップ指示を生成する起動手段と、
起動状態であるとき、端末装置と無線通信を行うとともにネットワークを介して通信装置と通信を行い、スリープ状態であるとき、前記ウェイクアップ指示を受けると、スリープ状態から起動状態へ移行するメイン装置とを備える無線基地局。
【請求項８】
前記判定手段は、前記第１のウェイクアップＩＤと前記第２のウェイクアップＩＤとの相関を演算し、その演算した相関が閾値よりも大きいとき、前記第１のウェイクアップＩＤが前記第２のウェイクアップＩＤに一致すると判定する、請求項７に記載の無線基地局。
【請求項９】
ウェイクアップＩＤを無線フレーム長に変調して複数の無線フレームを生成し、２つの無線フレーム間の間隔がチャネルがビジーであると扱われる固定長になるように前記生成した複数の無線フレームを時間方向に連続して送信する端末装置と、
起動状態であるとき、前記端末装置と無線通信を行い、スリープ状態であるとき、前記端末装置から送信されたウェイクアップＩＤが自己のウェイクアップＩＤに一致するとスリープ状態から起動状態へ移行する無線基地局とを備え、
前記端末装置は、請求項１から請求項３のいずれか１項に記載の端末装置からなり、
前記無線基地局は、請求項４から請求項８のいずれか１項に記載の無線基地局からなる、無線通信システム。
【発明の詳細な説明】
【技術分野】
【０００１】
この発明は、端末装置、それと無線通信を行う無線基地局、およびそれらを備える無線通信システムに関するものである。
【背景技術】
【０００２】
無線ＬＡＮ（Ｌｏｃａｌ  Ａｒｅａ  Ｎｅｔｗｏｒｋ）が普及するとともに、多くのＡＰ（Ａｃｃｅｓｓ  Ｐｏｉｎｔ）が配置される。これらのＡＰは、通常、パワーがオンされたまま使用される。
【０００３】
しかし、“つけっぱなし”になっているＡＰが過半数の時間で無線通信に用いられていないため、電力が無駄に消費される。
【０００４】
端末がウェイクアップレシーバを用いて通信が必要となっているときだけ、ＡＰを起こす方法が提案されている（非特許文献１，２）。
【０００５】
非特許文献１では、無線ＬＡＮカードよりも低い電力を消費するＩＥＥＥ８０２．１５．４  ｓｅｎｓｏｒ  ｍｏｔｅｓを用いて同じ周波数である無線ＬＡＮチャネルを観測し、送信元からの電波を検知すると、自端末の無線ＬＡＮカードをウェイクアップさせる。
【０００６】
また、非特許文献２では、端末が無線ＬＡＮフレーム長からなるウェイクアップ信号を作成し、その作成したウェイクアップ信号をＡＰへ送信してＡＰをウェイクアップさせる。
【先行技術文献】
【非特許文献】
【０００７】
【非特許文献１】Nilesh Mishra, Kameswari Chebrolu, Bhaskaran Raman, Abhinav Pathak, WakeonWLAN, WWW2006.
【非特許文献２】近藤  良久，四方  博之，湯  素華，岩井  優仁，田中  利康，筒井  英夫，小花  貞夫，“無線ＬＡＮ信号を用いたオンデマンドウェイクアップ方式”，信学技報，ＮＳ２０１０−１８５，ｖｏｌ．１１０，Ｎｏ．４４８，ｐｐ．１２３−１２８，２０１１．
【発明の概要】
【発明が解決しようとする課題】
【０００８】
しかし、非特許文献１に開示されたウェイクアップ方法では、ＩＤを識別しないので、アクセスポイントが誤って起動する誤検知確率が高いという問題がある。また、非特許文献２に開示されたウェイクアップ方法では、ウェイクアップ信号を構成する無線ＬＡＮフレームを送信中に、隣接する無線装置は、フレーム間のスペースがＤＩＦＳ（Ｄｉｓｔｒｉｂｕｔｅｄ  Ｉｎｔｅｒｆｒａｍｅ  Ｓｐａｃｅ）よりも長い場合、割り込んで他の無線フレームを送信するため、受信側では、ウェイクアップＩＤの誤検知率が大きくなるという問題がある。更に、無線フレームの長さを正しく検知する確率が低くなり、ウェイクアップＩＤの誤検知率が大きくなる１つの要因となる。
【０００９】
そこで、この発明は、かかる問題を解決するためになされたものであり、その目的は、ウェイクアップＩＤの誤検知率を抑制可能な端末装置を提供することである。
【００１０】
また、この発明の別の目的は、ウェイクアップＩＤの誤検知率を抑制可能な無線基地局を提供することである。
【００１１】
更に、この発明の別の目的は、ウェイクアップＩＤの誤検知率を抑制可能な無線通信システムを提供することである。
【課題を解決するための手段】
【００１２】
この発明の実施の形態によれば、端末装置は、生成手段と、送信手段とを備える。生成手段は、起動させる無線基地局を示すウェイクアップＩＤを生成し、その生成したウェイクアップＩＤを無線フレーム長に変調してウェイクアップＩＤを示す複数の無線フレームを生成する。送信手段は、２つの無線フレーム間の間隔がチャネルがビジーであると扱われる固定長になるように複数の無線フレームを時間方向に連続して送信する。
【００１３】
また、この発明の実施の形態によれば、無線基地局は、受信手段と、検出手段と、判定手段と、起動手段と、メイン装置とを備える。受信手段は、起動させる無線基地局を示すウェイクアップＩＤを無線フレーム長に変調して生成され、かつ、２つの無線フレーム間の間隔がチャネルがビジーであると扱われる固定長になるように送信された複数の無線フレームを受信する。検出手段は、受信手段によって受信された複数の無線フレームを包絡線検波して包絡線を検出し、その検出した包絡線をサンプリング周期でサンプリングして複数の無線フレームの受信信号を検出する。判定手段は、当該無線基地局のウェイクアップＩＤを無線フレーム長と複数の無線フレームのうちの２つの無線フレーム間の間隔とを用いて変調して生成された等価ウェイクアップＩＤと、受信信号とが一致するか否かを判定する。起動手段は、判定手段によって等価ウェイクアップＩＤが受信信号に一致すると判定されたとき、ウェイクアップ指示を生成する。メイン装置は、起動状態であるとき、端末装置と無線通信を行うとともにネットワークを介して通信装置と通信を行い、スリープ状態であるとき、ウェイクアップ指示を受けると、スリープ状態から起動状態へ移行する。
【００１４】
更に、この発明の実施の形態によれば、無線基地局は、受信手段と、検出手段と、判定手段と、起動手段と、メイン装置とを備える。受信手段は、起動させる無線基地局を示すウェイクアップＩＤを無線フレーム長に変調して生成され、かつ、２つの無線フレーム間の間隔がチャネルがビジーであると扱われる固定長になるように送信された複数の無線フレームを受信する。検出手段は、受信手段によって受信された複数の無線フレームを包絡線検波して包絡線を検出し、その検出した包絡線をサンプリング周期でサンプリングして複数の無線フレームの受信信号を検出する。判定手段は、当該無線基地局のウェイクアップＩＤを無線フレーム長と複数の無線フレームのうちの２つの無線フレーム間の間隔とを用いて変調して生成された等価ウェイクアップＩＤを作成し、その作成した等価ウェイクアップＩＤと同じ長さを有する相関窓を作成し、その作成した相関窓が１である部分窓において等価ウェイクアップＩＤと受信信号との相関を演算して複数の無線フレームの各無線フレームの両端の位置を検出し、その検出した両端の位置に基づいて複数の無線フレームの複数の長さを検出し、その検出した複数の長さを第１のウェイクアップＩＤへ復調し、その復調した第１のウェイクアップＩＤが当該無線基地局で生成された第２のウェイクアップＩＤに一致するか否かを判定する。起動手段は、判定手段によって第１のウェイクアップＩＤが第２のウェイクアップＩＤに一致すると判定されたとき、ウェイクアップ指示を生成する。メイン装置は、起動状態であるとき、端末装置と無線通信を行うとともにネットワークを介して通信装置と通信を行い、スリープ状態であるとき、ウェイクアップ指示を受けると、スリープ状態から起動状態へ移行する。
【００１５】
更に、この発明の実施の形態によれば、無線通信システムは、端末装置と、無線基地局とを備える。端末装置は、ウェイクアップＩＤを無線フレーム長に変調して複数の無線フレームを生成し、２つの無線フレーム間の間隔がチャネルがビジーであると扱われる固定長になるように、生成した複数の無線フレームを時間方向に連続して送信する。スリープ中の無線基地局は、端末装置から送信されたウェイクアップＩＤが自己のウェイクアップＩＤに一致するとスリープ状態から起動状態へ移行する。そして、端末装置は、請求項１から請求項３のいずれか１項に記載の端末装置からなり、無線基地局は、請求項４から請求項７のいずれか１項に記載の無線基地局からなる。
【発明の効果】
【００１６】
この発明の実施の形態による端末装置は、２つの無線フレーム間の間隔がチャネルがビジーであると扱われる固定長になるように複数の無線フレームを時間方向に連続して送信する。その結果、他の端末装置および無線基地局は、複数の無線フレームが連続して送信されている間、無線通信を行わないので、他の無線フレームが複数の無線フレームに割り込むことがない。
【００１７】
従って、無線基地局は、他の無線フレームの割込みが無い複数の無線フレームを受信するので、複数の無線フレームの各々のフレーム長を正確に検知できる。つまり、無線フレームの長さによって表されたウェイクアップＩＤの誤検知率を抑制できる。
【００１８】
また、この発明の実施の形態による無線基地局は、起動させる無線基地局を示すウェイクアップＩＤを無線フレーム長に変調して生成され、かつ、２つの無線フレーム間の間隔がチャネルがビジーであると扱われる固定長になるように送信された複数の無線フレームを受信し、その受信した複数の無線フレームから受信信号を検出し、その検出した受信信号が等価ウェイクアップＩＤに一致するとき、スリープ状態から起動状態へ移行する。そして、無線基地局は、他の無線フレームが割り込むことがない複数の無線フレームを受信して受信信号を検出するので、フレーム長が正確である複数の無線フレームに基づいて受信信号を検出する。その結果、無線基地局は、フレーム長が正確に反映された受信信号を得る。
【００１９】
従って、無線フレームの長さによって表されたウェイクアップＩＤの誤検知率を抑制できる。
【００２０】
更に、この発明の実施の形態による無線基地局は、起動させる無線基地局を示すウェイクアップＩＤを無線フレーム長に変調して生成され、かつ、２つの無線フレーム間の間隔がチャネルがビジーであると扱われる固定長になるように送信された複数の無線フレームを受信し、その受信した複数の無線フレームから受信信号を検出し、その検出した受信信号に基づいて、各無線フレームの両端を検出し、その検出した各無線フレームの両端から複数の無線フレームの複数のフレーム長を検出する。そして、無線基地局は、その検出した複数のフレーム長をウェイクアップＩＤに復調し、その復調したウェイクアップＩＤが、自己が算出したウェイクアップＩＤに一致するとき、スリープ状態から起動状態へ移行する。この場合、無線基地局は、他の無線フレームが割り込むことがない複数の無線フレームに基づいて、複数のフレーム長を検出する。
【００２１】
従って、複数のフレーム長によって表されたウェイクアップＩＤの誤検知率を抑制できる。
【００２２】
更に、この発明の実施の形態による無線通信システムにおいては、端末装置は、２つの無線フレーム間の間隔が無線通信方式に応じて決定された固定長になるように複数の無線フレームを時間方向に連続して送信し、無線基地局は、端末装置から送信された複数の無線フレームを干渉信号が割り込まない状態で受信し、その受信した複数の無線フレームに基づいてウェイクアップＩＤのマッチングを判定し、ウェイクアップＩＤがマッチングするとき、スリープ状態から起動状態へ移行する。その結果、無線基地局は、ウェイクアップＩＤを表す複数の無線フレームの長さを端末装置から正確に検知する。
【００２３】
従って、無線フレームの長さによって表されたウェイクアップＩＤの誤検知率を抑制できる。
【図面の簡単な説明】
【００２４】
【図１】この発明の実施の形態による無線通信システムの概略図である。
【図２】図１に示す端末装置の構成を示す概略図である。
【図３】図１に示す無線基地局の構成を示す概略図である。
【図４】ビット値をフレーム長に変調するためのマップを示す概念図である。
【図５】ウェイクアップ信号の送信方法の概念図である。
【図６】ウェイクアップ信号を送信する動作を説明するためのフローチャートである。
【図７】ウェイクアップＩＤを等価ウェイクアップＩＤに変調するためのマップを示す概念図である。
【図８】ウェイクアップ信号の受信処理を示す概念図である。
【図９】ウェイクアップＩＤのマッチングを判定する他の方法を説明するための概念図である。
【図１０】ウェイクアップ信号を送受信する動作を説明するためのフローチャートである。
【図１１】ウェイクアップ信号を送受信する他の動作を説明するためのフローチャートである。
【発明を実施するための形態】
【００２５】
本発明の実施の形態について図面を参照しながら詳細に説明する。なお、図中同一または相当部分には同一符号を付してその説明は繰返さない。
【００２６】
図１は、この発明の実施の形態による無線通信システムの概略図である。図１を参照して、この発明の実施の形態による無線通信システム１０は、端末装置１と、無線基地局２とを備える。
【００２７】
端末装置１および無線基地局２は、無線通信空間に配置される。端末装置１は、スリープ状態にある無線基地局２と無線通信を開始する場合、後述する方法によって、ウェイクアップ信号ＷＫＥを生成し、その生成したウェイクアップ信号ＷＫＥを２．４ＧＨｚ帯の周波数チャネルで無線基地局２へ送信する。
【００２８】
そして、端末装置１は、無線基地局２がスリープ状態から起動状態へ移行すると、無線基地局２との間で無線リンクを確立し、無線基地局２と無線通信を行う。
【００２９】
無線基地局２は、有線ケーブル２０を介してネットワーク３０に接続される。無線基地局２は、端末装置１と無線通信を行う起動状態と、端末装置１と無線通信（＝データの送受信）を行うことができないスリープ状態とを有する。そして、無線基地局２は、起動状態へ移行すると、端末装置１を管理するためのビーコンフレームＢｅａｃｏｎを定期的に送信する。
【００３０】
無線基地局２は、一定の期間、端末装置１と無線通信を行わなかったとき、スリープ状態へ移行したことを示す通知ＳＬＰを生成して端末装置１へ送信してから、または自己に帰属する端末装置が存在しないとき、起動状態からスリープ状態へ移行する。
【００３１】
無線基地局２は、スリープ状態において、端末装置１から自己を起動させるためのウェイクアップ信号ＷＫＥを受信すると、スリープ状態から起動状態へ移行する。そして、無線基地局２は、端末装置１と２．４ＧＨｚ帯の周波数チャネルで無線通信を行うとともに、有線ケーブル２０およびネットワーク３０を介して他の通信装置と通信を行う。
【００３２】
図２は、図１に示す端末装置１の構成を示す概略図である。図２を参照して、端末装置１は、アンテナ１１と、無線ＬＡＮカード１２と、ＣＰＵ（Ｃｅｎｔｒａｌ  Ｐｒｏｃｅｓｓｉｎｇ  Ｕｎｉｔ）１３と、電源１４とを含む。
【００３３】
無線ＬＡＮカード１２は、アンテナ１１に接続される。また、無線ＬＡＮカード１２は、電源１４から電力を供給されると、その供給された電力によって駆動する。
【００３４】
無線ＬＡＮカード１２は、アンテナ１１を介して無線基地局２から通知ＳＬＰを受信し、その受信した通知ＳＬＰをＣＰＵ１３へ出力する。
【００３５】
また、無線ＬＡＮカード１２は、無線ＬＡＮフレームを一斉に送信するためのバーストモードへの移行を指示する指示信号ＢＵＲＳＴをＣＰＵ１３から受けると、バーストモードへ移行する。
【００３６】
その後、無線ＬＡＮカード１２は、ウェイクアップＩＤを構成する無線ＬＡＮフレームをＣＰＵ１３から受けると、その受けた無線ＬＡＮフレームを２．４ＧＨｚ帯の周波数チャネルにおいてアンテナ１１を介してバーストモードで一斉に送信する。そして、無線ＬＡＮカード１２は、無線ＬＡＮフレームを一斉に送信した後、通常の通信モードへ移行する。
【００３７】
無線ＬＡＮカード１２は、通常の通信モードにおいては、ビーコンフレームＢｅａｃｏｎを無線基地局２から受信し、その受信したビーコンフレームＢｅａｃｏｎをＣＰＵ１３へ出力する。そして、無線ＬＡＮカード１２は、従来、公知の方法によって無線基地局２との間で無線リンクを確立する。引き続いて、無線ＬＡＮカード１２は、ＣＰＵ１３からデータを受けると、その受けたデータを含むパケットを生成し、その生成したパケットを所望の無線通信方式によって変調し、その変調したパケットを２．４ＧＨｚ帯の周波数チャネルでアンテナ１１を介して無線基地局２へ送信する。
【００３８】
更に、無線ＬＡＮカード１２は、アンテナ１１を介して２．４ＧＨｚ帯の周波数チャネルで無線基地局２からパケットを受信し、その受信したパケットを復調し、その復調したパケットからデータを取り出してＣＰＵ１３へ出力する。
【００３９】
ＣＰＵ１３は、電源１４から電力を供給されると、その供給された電力によって駆動する。
【００４０】
ＣＰＵ１３は、通知ＳＬＰを無線ＬＡＮカード１２から受け、無線基地局２が起動状態からスリープ状態へ移行したことを検知する。そして、ＣＰＵ１３は、無線基地局２がスリープ状態にあるときに無線基地局２と無線通信を開始するとき、後述する方法によって、無線基地局２を起動させるためのウェイクアップＩＤを生成し、その生成したウェイクアップＩＤを構成する無線ＬＡＮフレームを作成する。
【００４１】
その後、ＣＰＵ１３は、指示信号ＢＵＲＳＴを生成して無線ＬＡＮカード１２へ出力し、その後、無線ＬＡＮフレームを無線ＬＡＮカード１２へ出力する。
【００４２】
また、ＣＰＵ１３は、無線ＬＡＮカード１２がアンテナ１１を介して無線基地局２から受信したビーコンフレームＢｅａｃｏｎを無線ＬＡＮカード１２から受ける。そして、ＣＰＵ１３は、その受けたビーコンフレームＢｅａｃｏｎに含まれるＥＳＳＩＤまたはＢＳＳＩＤを取り出して管理するとともに、ＥＳＳＩＤまたはＢＳＳＩＤに基づいて、端末装置１が帰属する無線基地局２を管理する。
【００４３】
更に、ＣＰＵ１３は、無線ＬＡＮカード１２からデータを受けるとともに、データを生成して無線ＬＡＮカード１２へ出力する。
【００４４】
電源１４は、無線ＬＡＮカード１２およびＣＰＵ１３へ電力を供給する。
【００４５】
図３は、図１に示す無線基地局２の構成を示す概略図である。図３を参照して、無線基地局２は、アンテナ２１と、ウェイクアップ信号受信機２２と、電源２３，２７と、無線ＬＡＮカード２４と、ＣＰＵ２５と、ネットワーク接続カード２６とを含む。
【００４６】
ウェイクアップ信号受信機２２は、アンテナ２１に接続される。また、ウェイクアップ信号受信機２２は、電源２３から電力を供給されると、その供給された電力によって駆動する。
【００４７】
ウェイクアップ信号受信機２２は、無線基地局２がスリープ状態にあるときに、アンテナ２１を介して２．４ＧＨｚ帯の周波数チャネルで端末装置１からウェイクアップＩＤを構成する無線ＬＡＮフレームを受信し、その受信した無線ＬＡＮフレームに基づいて、後述する方法によってウェイクアップＩＤのマッチングを判定する。そして、ウェイクアップ信号受信機２２は、ウェイクアップＩＤがマッチングすると判定したとき、起動信号ＤＲＶ１を生成して電源２７へ出力する。
【００４８】
なお、ウェイクアップ信号受信機２２は、ウェイクアップＩＤを構成する無線ＬＡＮフレームを受信する機能のみを有し、パケットを送信する機能を有しない。
【００４９】
電源２３は、電力をウェイクアップ信号受信機２２へ供給する。この場合、電源２３は、例えば、１００μＷの電力をウェイクアップ信号受信機２２へ供給する。
【００５０】
無線ＬＡＮカード２４は、アンテナ２１に接続される。また、無線ＬＡＮカード２４は、電源２７から電力を供給されると、その供給された電力によって駆動する。
【００５１】
無線ＬＡＮカード２４は、通知ＳＬＰをＣＰＵ２５から受け、その受けた通知ＳＬＰをアンテナ２１を介して端末装置１へ送信する。
【００５２】
また、無線ＬＡＮカード２４は、ＣＰＵ２５からビーコンフレームＢｅａｃｏｎを定期的に受け、その受けたビーコンフレームＢｅａｃｏｎをアンテナ２１を介して２．４ＧＨｚ帯の周波数チャネルで送信する。そして、無線ＬＡＮカード２４は、端末装置１との間で無線リンクを確立する。
【００５３】
その後、無線ＬＡＮカード２４は、ＣＰＵ２５からデータを受けると、その受けたデータを含むパケットを生成する。そして、無線ＬＡＮカード２４は、その生成したパケットを所望の無線通信方式によって変調し、その変調したパケットをアンテナ２１を介して２．４ＧＨｚ帯の周波数チャネルで端末装置１へ送信する。
【００５４】
また、無線ＬＡＮカード２４は、アンテナ２１を介して２．４ＧＨｚ帯の周波数チャネルで端末装置１からパケットを受信し、その受信したパケットを復調する。そして、無線ＬＡＮカード２４は、その復調したパケットからデータを取り出してＣＰＵ２５へ出力する。
【００５５】
更に、無線ＬＡＮカード２４は、電源２７からの電力の供給が停止されると、起動状態からスリープ状態へ移行する。
【００５６】
ＣＰＵ２５は、電源２７から電力を供給されると、その供給された電力によって駆動する。そして、ＣＰＵ２５は、ビーコンフレームＢｅａｃｏｎを定期的に生成し、その生成したビーコンフレームＢｅａｃｏｎを無線ＬＡＮカード２４へ出力する。
【００５７】
また、ＣＰＵ２５は、ネットワーク接続カード２６からデータを受けると、その受けたデータを無線ＬＡＮカード２４へ出力する。
【００５８】
更に、ＣＰＵ２５は、無線ＬＡＮカード２４からデータを受け、その受けたデータをネットワーク接続カード２６へ出力する。
【００５９】
更に、ＣＰＵ２５は、無線基地局２に帰属する端末装置１を管理する。
【００６０】
更に、ＣＰＵ２５は、一定の期間、無線ＬＡＮカード２４からデータを受けないとき、通知ＳＬＰを生成して無線ＬＡＮカード２４へ出力してから、または端末装置１が無線基地局２に帰属していないとき、電力の供給を停止することを指示する指示信号ＳＴＰを生成し、その生成した指示信号ＳＴＰを電源２７へ出力する。
【００６１】
更に、ＣＰＵ２５は、電源２７からの電力の供給が停止されると、起動状態からスリープ状態へ移行する。
【００６２】
ネットワーク接続カード２６は、有線ケーブル２０を介してネットワーク３０に接続される。また、ネットワーク接続カード２６は、電源２７から電力を供給されると、その供給された電力によって駆動する。
【００６３】
そして、ネットワーク接続カード２６は、ネットワーク３０および有線ケーブル２０を介して他の通信装置からパケットを受信し、その受信したパケットからデータを取り出してＣＰＵ２５へ出力する。
【００６４】
また、ネットワーク接続カード２６は、ＣＰＵ２５からデータを受け、その受けたデータを含むパケットを生成する。そして、ネットワーク接続カード２６は、その生成したパケットを有線ケーブル２０およびネットワーク３０を介して他の通信装置へ送信する。
【００６５】
更に、ネットワーク接続カード２６は、電源２７からの電力の供給が停止されると、起動状態からスリープ状態へ移行する。
【００６６】
電源２７は、ウェイクアップ信号受信機２２から起動信号ＤＲＶ１を受けると、無線ＬＡＮカード２４、ＣＰＵ２５およびネットワーク接続カード２６へ電力を供給する。また、電源２７は、ＣＰＵ２５から指示信号ＳＴＰを受けると、無線ＬＡＮカード２４、ＣＰＵ２５およびネットワーク接続カード２６への電力の供給を停止する。
【００６７】
端末装置１におけるウェイクアップ信号ＷＫＥの送信方法について説明する。図４は、ビット値をフレーム長に変調するためのマップを示す概念図である。また、図５は、ウェイクアップ信号ＷＫＥの送信方法の概念図である。
【００６８】
図４を参照して、マップＭＡＰ１は、ビット値００，０１，１１，１０と無線ＬＡＮフレームＦＬ０，ＦＬ１，ＦＬ３，ＦＬ２との対応関係からなる。そして、４８μｓの長さを有する無線ＬＡＮフレームＦＬ０は、“００”のビット値に対応し、５２μｓの長さを有する無線ＬＡＮフレームＦＬ１は、“０１”のビット値に対応し、５６μｓの長さを有する無線ＬＡＮフレームＦＬ３は、“１１”のビット値に対応し、６０μｓの長さを有する無線ＬＡＮフレームＦＬ２は、“１０”のビット値に対応する。
【００６９】
端末装置１のＣＰＵ１３は、ウェイクアップさせる無線基地局２のＩＤを予め保持している。そして、ＣＰＵ１３は、スリープ状態である無線基地局２と無線通信を開始する場合、無線基地局２のＩＤから公知のハッシュ関数を用いてウェイクアップＩＤを算出する。この場合、ハッシュ関数は、どのようなハッシュ関数であってもよい。
【００７０】
そして、ＣＰＵ１３は、その算出したウェイクアップＩＤをフレーム長変調方式を用いて変調し、ウェイクアップＩＤを構成する無線ＬＡＮフレーム（＝ウェイクアップ信号ＷＫＥ）を作成する。
【００７１】
そうすると、ＣＰＵ１３は、その作成した無線ＬＡＮフレームを無線ＬＡＮカード１２へ出力し、無線ＬＡＮカード１２は、ＣＰＵ１３から受けた無線ＬＡＮフレームをバーストモードで一斉に送信する。
【００７２】
より具体的に説明する。ＣＰＵ１３は、例えば、“１０，０１，００，１１”からなるウェイクアップＩＤを算出する。そして、ＣＰＵ１３は、マップＭＡＰ１を保持しており、その保持しているマップＭＡＰ１を参照して、“００”を４８μｓのフレーム長を有する無線ＬＡＮフレームＦＬ０に変調し、“０１”を５２μｓのフレーム長を有する無線ＬＡＮフレームＦＬ１に変調し、“１１”を５６μｓのフレーム長を有する無線ＬＡＮフレームＦＬ３に変調し、“１０”を６０μｓのフレーム長を有する無線ＬＡＮフレームＦＬ２に変調する。即ち、ＣＰＵ１３は、“１０，０１，００，１１”からなるウェイクアップＩＤを４個の無線ＬＡＮフレームＦＬ２，ＦＬ１，ＦＬ０，ＦＬ３に変調する。
【００７３】
そして、ＣＰＵ１３は、指示信号ＢＵＲＳＴを無線ＬＡＮカード１２へ出力した後、４個の無線ＬＡＮフレームＦＬ２，ＦＬ１，ＦＬ０，ＦＬ３を無線ＬＡＮカード１２へ出力する。
【００７４】
無線ＬＡＮフレーム１２は、指示信号ＢＵＲＳＴに応じてバーストモードへ移行し、４個の無線ＬＡＮフレームＦＬ２，ＦＬ１，ＦＬ０，ＦＬ３をＣＰＵ１３から受けると、その受けた４個の無線ＬＡＮフレームＦＬ２，ＦＬ１，ＦＬ０，ＦＬ３を既定の間隔でバースト的に送信する。無線ＬＡＮカード１２は、無線ＬＡＮフレームＦＬ２，ＦＬ１，ＦＬ０，ＦＬ３の送信中、ＡＣＫを受信しないので、無線ＬＡＮフレームＦＬ２，ＦＬ１，ＦＬ０，ＦＬ３の送信先は、ブロードキャストアドレスである。
【００７５】
より具体的には、無線ＬＡＮカード１２は、次の方法によって、４個の無線ＬＡＮフレームＦＬ２，ＦＬ１，ＦＬ０，ＦＬ３を送信する。無線ＬＡＮカード１２は、まず、無線ＬＡＮフレームＦＬ２を送信する。そして、無線ＬＡＮカード１２は、ＳＩＦＳ（Ｓｈｏｒｔ  Ｉｎｔｅｒ  Ｆｒａｍｅ  Ｓｐａｃｅ）が経過した後、無線ＬＡＮフレームＦＬ１を送信する。更に、無線ＬＡＮカード１２は、無線ＬＡＮフレームＦＬ１の送信後、ＳＩＦＳが経過すると、無線ＬＡＮフレームＦＬ０を送信する。更に、無線ＬＡＮカード１２は、無線ＬＡＮフレームＦＬ０の送信後、ＳＩＦＳが経過すると、無線ＬＡＮフレームＦＬ３を送信する（図５参照）。
【００７６】
このように、無線ＬＡＮカード１２は、２つの無線ＬＡＮフレーム間の間隔がＳＩＦＳの間隔（＝既定の間隔）になるように４個の無線ＬＡＮフレームＦＬ２，ＦＬ１，ＦＬ０，ＦＬ３を時間方向に連続（バースト的に）して送信する。この場合、無線ＬＡＮカード１２は、ＩＥＥＥ８０２．１１ｇのＯＦＤＭフレームを送信するので、ＳＩＦＳは、１６μｓの長さを有する。
【００７７】
無線ＬＡＮフレームＦＬ２は、“１０”を表し、無線ＬＡＮフレームＦＬ１は、“０１”を表し、無線ＬＡＮフレームＦＬ０は、“００”を表し、無線ＬＡＮフレームＦＬ３は、“１１”を表す。
【００７８】
従って、無線ＬＡＮカード１２は、４個の無線ＬＡＮフレームＦＬ２，ＦＬ１，ＦＬ０，ＦＬ３をＳＩＦＳの間隔でバースト的に送信することによって“１００１００１１”からなるウェイクアップＩＤを送信する。
【００７９】
その結果、端末装置１以外の端末装置および無線基地局は、無線ＬＡＮフレームＦＬ２，ＦＬ１，ＦＬ０，ＦＬ３が連続して送信されている間、無線通信を行わない。即ち、端末装置１以外の端末装置および無線基地局は、キャリアセンスにおいて、ＳＩＦＳの間、チャネルがビジーであると扱うので、無線ＬＡＮフレームＦＬ２，ＦＬ１，ＦＬ０，ＦＬ３がＳＩＦＳの間隔で連続して送信されている間、キャリアセンスによってチャネルがビジーであることを検知し、無線ＬＡＮフレームを送信しない。よって、他の無線ＬＡＮフレームが無線ＬＡＮフレームＦＬ２，ＦＬ１，ＦＬ０，ＦＬ３に割り込むのを防止できる。
【００８０】
図６は、ウェイクアップ信号ＷＫＥを送信する動作を説明するためのフローチャートである。
【００８１】
図６を参照して、ウェイクアップ信号ＷＫＥを送信する動作が開始されると、端末装置１のＣＰＵ１３は、無線基地局２のＩＤからハッシュ関数を用いてウェイクアップＩＤを算出する（ステップＳ１）。
【００８２】
そして、ＣＰＵ１３は、マップＭＡＰ１を参照して、上述した方法によって、ウェイクアップＩＤをフレーム長変調方式によって変調し、ウェイクアップＩＤを構成する無線ＬＡＮフレームＦＬ２，ＦＬ１，ＦＬ０，ＦＬ３を作成する（ステップＳ２）。
【００８３】
その後、ＣＰＵ１３は、指示信号ＢＵＲＳＴを生成して無線ＬＡＮカード１２へ出力し、無線ＬＡＮカード１２のバーストモードを設定する（ステップＳ３）。
【００８４】
そして、ＣＰＵ１３は、作成した無線ＬＡＮフレームを一斉に無線ＬＡＮカード１２へ出力する（ステップＳ４）。
【００８５】
無線ＬＡＮカード１２は、指示信号ＢＵＲＳＴに応じてバーストモードへ移行し、ＣＰＵ１３から無線ＬＡＮフレームＦＬ２，ＦＬ１，ＦＬ０，ＦＬ３を受けると、その受けた無線ＬＡＮフレームＦＬ２，ＦＬ１，ＦＬ０，ＦＬ３を上述した方法によって既定の間隔でバースト的に送信する（ステップＳ５）。これによって、ウェイクアップ信号ＷＫＥの送信動作が終了する。
【００８６】
このように、端末装置１は、１つの無線ＬＡＮフレームを送信した後、既定の間隔であるＳＩＦＳが経過すると、次の無線ＬＡＮフレームを送信することを繰り返し行い、無線ＬＡＮフレームＦＬ２，ＦＬ１，ＦＬ０，ＦＬ３を送信する。
【００８７】
その結果、他の端末装置および無線基地局は、無線ＬＡＮフレームＦＬ２，ＦＬ１，ＦＬ０，ＦＬ３が連続して送信されている間、無線ＬＡＮフレームを送信しないので、無線ＬＡＮフレームＦＬ２，ＦＬ１，ＦＬ０，ＦＬ３に他の無線ＬＡＮフレームが割り込むことがない。
【００８８】
従って、無線基地局２は、他の無線ＬＡＮフレームの割込みが無い無線ＬＡＮフレームＦＬ２，ＦＬ１，ＦＬ０，ＦＬ３を受信するので、無線ＬＡＮフレームＦＬ２，ＦＬ１，ＦＬ０，ＦＬ３の各々のフレーム長を正確に検知できる。その結果、フレーム長で表されたウェイクアップＩＤの誤検知率を抑制できる。
【００８９】
図７は、ウェイクアップＩＤを等価ウェイクアップＩＤに変調するためのマップを示す概念図である。
【００９０】
図７を参照して、マップＭＡＰ２は、ビット値００，０１，１１，１０と、ビットストリームＢＳ０，ＢＳ１，ＢＳ３，ＢＳ２との対応関係からなる。ビットストリームＢＳ０は、ビット値００に対応付けられ、ビットストリームＢＳ１は、ビット値０１に対応付けられ、ビットストリームＢＳ３は、ビット値１１に対応付けられ、ビットストリームＢＳ２は、ビット値１０に対応付けられる。
【００９１】
ビットストリームＢＳ０は、“００１１１１１１１１１１１１００”からなり、ビットストリームＢＳ１は、“００１１１１１１１１１１１１１００”からなり、ビットストリームＢＳ３は、“００１１１１１１１１１１１１１１００”からなり、ビットストリームＢＳ２は、“００１１１１１１１１１１１１１１１００”からなる。
【００９２】
図８は、ウェイクアップ信号ＷＫＥの受信処理を示す概念図である。図８を参照して、無線基地局２のウェイクアップ信号受信機２２は、ウェイクアップＩＤを構成する無線ＬＡＮフレームＦＬ２，ＦＬ１，ＦＬ０，ＦＬ３（＝ウェイクアップ信号ＷＫＥ）をアンテナ２１を介して受信し、その受信した無線ＬＡＮフレームＦＬ２，ＦＬ１，ＦＬ０，ＦＬ３をウェイクアップ信号ＷＫＥの周波数を中心にしてバンドパスフィルタに掛け、信号を抽出する。そして、ウェイクアップ信号受信機２２は、その抽出した信号に対して包絡線検波を行い、包絡線を検出する。
【００９３】
その後、ウェイクアップ信号受信機２２は、包絡線をサンプリング周期でサンプリングしてアナログ信号からデジタル信号に変換し、受信信号ｒｋを得る（図８のｒｋを参照）。この場合、サンプリング周期は、４μｓである。また、サンプリングする時点の包絡線値は、図８における黒丸によって表される。Ｏｎｅ  ｂｉｔのＡ／Ｄ変換を用いる場合、サンプリングする時点の包絡線値をある閾値（例えば、０．５）と比較して、受信信号ｒｋは、０，１のビットシーケンスになる。
【００９４】
ウェイクアップ信号受信機２２は、無線基地局２のＩＤを保持しており、その保持している無線基地局２のＩＤからハッシュ関数を用いてウェイクアップＩＤを算出する。即ち、ウェイクアップ信号受信機２２は、端末装置１のＣＰＵ１３と同じ方法によってウェイクアップＩＤを算出する。
【００９５】
その後、ウェイクアップ信号受信機２２は、その算出したウェイクアップＩＤのビット列を２ビットづつに区切り、その区切った各２ビットのビット値をマップＭＡＰ２を参照してビットストリーム（ＢＳ０〜ＢＳ３のいずれか）に変換し、ウェイクアップＩＤを等価ウェイクアップＩＤに変調する。
【００９６】
この場合、ウェイクアップＩＤは、“１００１００１１”からなるので、ウェイクアップ信号受信機２２は、マップＭＡＰ２を参照して、“１０”，“０１”，“００”，“１１”をそれぞれビットストリームＢＳ２，ＢＳ１，ＢＳ０，ＢＳ３に変換し、ウェイクアップＩＤ＝“１００１００１１”を等価ウェイクアップＩＤ（Ｅｋ）＝ＢＳ２｜ＢＳ１｜ＢＳ０｜ＢＳ３に変調する（図８のＥｋを参照）。
【００９７】
そして、ウェイクアップ信号受信機２２は、等価ウェイクアップＩＤ（Ｅｋ）と同じ長さを有する相関窓Ｗｋを作成する。より具体的には、ウェイクアップ信号受信機２２は、等価ウェイクアップＩＤ（Ｅｋ）の“００”に対応する部分と、“００”に隣接する“１１”に対応する部分とが“１”からなり、それ以外の部分が“０”からなるように相関窓Ｗｋを作成する（図８のＷｋを参照）。
【００９８】
そうすると、ウェイクアップ信号受信機２２は、受信信号ｒｋ、等価ウェイクアップＩＤ（Ｅｋ）および相関窓Ｗｋを用いて後述する方法によってウェイクアップＩＤのマッチングを行う。そして、ウェイクアップ信号受信機２２は、ウェイクアップＩＤがマッチングする場合、起動信号ＤＲＶ１を生成して電源２７へ出力し、ウェイクアップＩＤがマッチングしない場合、電源２７へ何も出力しない。
【００９９】
上述したように、無線ＬＡＮフレームＦＬ０，ＦＬ１，ＦＬ３，ＦＬ２は、それぞれ、４８μｓ，５２μｓ，５６μｓ，６０μｓのフレーム長を有し、ＳＩＦＳは、１６μｓの長さを有し、サンプリング周期は、４μｓである。
【０１００】
従って、この発明の実施の形態においては、複数の無線ＬＡＮフレームＦＬ０，ＦＬ１，ＦＬ３，ＦＬ２の各々におけるフレーム長と、２つの無線ＬＡＮフレーム間の間隔（＝ＳＩＦＳ）とがサンプリング周期の整数倍に設定される。
【０１０１】
その結果、ＳＩＦＳを４ビットで表現できる。
【０１０２】
また、ビットストリームＢＳ２中の“１”の個数（＝１５個）に４μｓを乗算すれば、無線ＬＡＮフレームＦＬ２のフレーム長（＝６０μｓ）になり、ビットストリームＢＳ１中の“１”の個数（＝１３個）に４μｓを乗算すれば、無線ＬＡＮフレームＦＬ１のフレーム長（＝５２μｓ）になり、ビットストリームＢＳ０中の“１”の個数（＝１２個）に４μｓを乗算すれば、無線ＬＡＮフレームＦＬ０のフレーム長（＝４８μｓ）になり、ビットストリームＢＳ３中の“１”の個数（＝１４個）に４μｓを乗算すれば、無線ＬＡＮフレームＦＬ３のフレーム長（＝５６μｓ）になる。
【０１０３】
その結果、ビットストリームＢＳ０〜ＢＳ３に含まれる“１”の個数にサンプリング周期（＝４μｓ）を乗算することによって無線ＬＡＮフレームＦＬ０〜ＦＬ３のフレーム長を容易に検出できる。
【０１０４】
更に、ビットストリームＢＳ２は、無線ＬＡＮフレームＦＬ２の両端にＳＩＦＳを構成する２ビットの“００”を付加した構成からなり、ビットストリームＢＳ１は、無線ＬＡＮフレームＦＬ１の両端にＳＩＦＳを構成する２ビットの“００”を付加した構成からなり、ビットストリームＢＳ０は、無線ＬＡＮフレームＦＬ０の両端にＳＩＦＳを構成する２ビットの“００”を付加した構成からなり、ビットストリームＢＳ３は、無線ＬＡＮフレームＦＬ３の両端にＳＩＦＳを構成する２ビットの“００”を付加した構成からなる。つまり、ＳＩＦＳは、両側に位置するビットストリームＢＳ２，ＢＳ１；ＢＳ１，ＢＳ０；ＢＳ０，ＢＳ３の一部を構成する。従って、等価ウェイクアップＩＤ（Ｅｋ）は、ウェイクアップＩＤを無線ＬＡＮフレームＦＬ０〜ＦＬ３のフレーム長とＳＩＦＳとを用いて変調された構成からなる。
【０１０５】
その結果、ビットストリームＢＳ０〜ＢＳ３をＢＳ２｜ＢＳ１｜ＢＳ０｜ＢＳ３のように配列することによって（図８参照）、無線ＬＡＮフレームＦＬ２，ＦＬ１，ＦＬ０，ＦＬ３およびＳＩＦＳを表現できる。つまり、受信信号ｒｋの比較対象である等価ウェイクアップＩＤ（Ｅｋ）を容易に作成でき、後述するウェイクアップＩＤのマッチングを容易に判定できる。
【０１０６】
ウェイクアップＩＤがマッチングするか否かを判定する方法について説明する。
【０１０７】
（方法１）
ウェイクアップＩＤを構成する無線ＬＡＮフレームのフレーム長およびフレーム間スペース（＝ＳＩＦＳ）が正確である場合、即ち、ウェイクアップＩＤを構成する無線ＬＡＮフレームが上述したフレーム長を有し、かつ、ＳＩＦＳの間隔で正確に送信されている場合、ウェイクアップ信号受信機２２は、次式を用いて部分相関ｃｏｒｒを直接算出する。
【０１０８】
【数１】
2013085087.tif 000003
【０１０９】
なお、式（１）において、（ｒｋ＝＝Ｅｋ）は、ｒｋがＥｋと同じであれば、（ｒｋ＝＝Ｅｋ）が“１”になり、ｒｋがＥｋと異なれば、（ｒｋ＝＝Ｅｋ）が“０”になることを意味する。また、Ｗｋが“１”であれば、（ｒｋ＝＝Ｅｋ）・Ｗｋは、（ｒｋ＝＝Ｅｋ）になり、Ｗｋが“０”であれば、（ｒｋ＝＝Ｅｋ）・Ｗｋが“０”になることを意味する。式（１）においては、まず、（ｒｋ＝＝Ｅｋ）が演算され、次に、（ｒｋ＝＝Ｅｋ）・Ｗｋが演算される。
【０１１０】
そして、ウェイクアップ信号受信機２２は、部分相関ｃｏｒｒが閾値（＝例えば、２９）以上であれば、ウェイクアップＩＤがマッチングすると判定し、部分相関ｃｏｒｒが閾値（＝例えば、２９）よりも小さければ、ウェイクアップＩＤがマッチングしないと判定する。
【０１１１】
図８に示す相関窓Ｗｋが“１”である部分窓Ｗ１（＝１１１１）において、受信信号ｒｋは、“００１１”であり、等価ウェイクアップＩＤ（Ｅｋ）は、“００１１”である。その結果、（ｒｋ＝＝Ｅｋ）は、部分窓Ｗ１において“１１１１”となる。従って、（ｒｋ＝＝Ｅｋ）・Ｗｋは、部分窓Ｗ１において、“１１１１”となる。
【０１１２】
また、相関窓Ｗｋが“１”である部分窓Ｗ２（＝１１１１１１１１）において、受信信号ｒｋは、“１１００００１１”であり、等価ウェイクアップＩＤ（Ｅｋ）は、“１１００００１１”である。その結果、（ｒｋ＝＝Ｅｋ）は、部分窓Ｗ２において“１１１１１１１１”となる。従って、（ｒｋ＝＝Ｅｋ）・Ｗｋは、部分窓Ｗ２において、“１１１１１１１１”となる。
【０１１３】
同様にして、相関窓Ｗｋが“１”である部分窓Ｗ３（＝１１１１１１１１）において、（ｒｋ＝＝Ｅｋ）・Ｗｋは、“１１１１１１１１”となり、相関窓Ｗｋが“１”である部分窓Ｗ４（＝１１１１１１１１）において、（ｒｋ＝＝Ｅｋ）・Ｗｋは、“１１１１１１１１”となり、相関窓Ｗｋが“１”である部分窓Ｗ５（＝１１１１）において、（ｒｋ＝＝Ｅｋ）・Ｗｋは、“１１１１”となる。
【０１１４】
相関窓Ｗｋは、部分窓Ｗ１〜Ｗ５以外においては、“０”からなるので、（ｒｋ＝＝Ｅｋ）・Ｗｋは、部分窓Ｗ１〜Ｗ５以外において、“０”になる。
【０１１５】
従って、部分相関ｃｏｒｒは、部分窓Ｗ１における４個の“１”（＝“１１１１”）と、部分窓Ｗ２における８個の“１”（＝“１１１１１１１１”）と、部分窓Ｗ３における８個の“１”（＝“１１１１１１１１”）と、部分窓Ｗ４における８個の“１”（＝“１１１１１１１１”）と、部分窓Ｗ５における４個の“１”（＝“１１１１”）とを加算した“３２”になる。
【０１１６】
このように、受信信号ｒｋに誤りが無ければ、部分相関ｃｏｒｒは、“３２”になる。そして、閾値を“２９”に設定するのは、受信信号ｒｋの誤りを３ビットまで許容するためである。
【０１１７】
ウェイクアップ信号受信機２２は、次式を用いて部分相関ｃｏｒｒを算出してもよい。
【０１１８】
【数２】
2013085087.tif 000004
【０１１９】
式（２）の右辺は、式（１）の右辺を相関窓Ｗｋの和で除算したものに等しい。従って、式（２）を用いて算出した部分相関ｃｏｒｒは、受信信号ｒｋに誤りが無ければ、３２／３２＝１となる。受信信号ｒｋの誤りは、式（２）の右辺の分子に反映されるので、受信信号ｒｋの誤りを３ビットまで許容する場合、式（２）を用いて算出した部分相関ｃｏｒｒの閾値は、２９／３２に設定される。
【０１２０】
ウェイクアップ信号受信機２２は、式（２）を用いて部分相関ｃｏｒｒを算出し、その算出した部分相関ｃｏｒｒが閾値（＝２９／３２）以上であれば、ウェイクアップＩＤがマッチングすると判定し、部分相関ｃｏｒｒが閾値（＝２９／３２）よりも小さければ、ウェイクアップＩＤがマッチングしないと判定する。
【０１２１】
このように、ウェイクアップＩＤのマッチングを判定する方法１においては、ビットストリームＢＳ２，ＢＳ１，ＢＳ０，ＢＳ３の両端部を相関窓Ｗｋによって検出し、その検出した両端部において受信信号ｒｋが等価ウェイクアップＩＤ（Ｅｋ）に一致するビット数が閾値以上であれば、ウェイクアップＩＤがマッチングすると判定し、ビットストリームＢＳ２，ＢＳ１，ＢＳ０，ＢＳ３の両端部において受信信号ｒｋが等価ウェイクアップＩＤ（Ｅｋ）に一致するビット数が閾値よりも小さければ、ウェイクアップＩＤがマッチングしないと判定する。つまり、受信信号ｒｋの無線ＬＡＮフレームに相当する部分の両端部が等価ウェイクアップＩＤ（Ｅｋ）に一致する割合が閾値以上であれば、ウェイクアップＩＤがマッチングすると判定し、受信信号ｒｋの無線ＬＡＮフレームに相当する部分の両端部が等価ウェイクアップＩＤ（Ｅｋ）に一致する割合が閾値よりも小さければ、ウェイクアップＩＤがマッチングしないと判定する。
【０１２２】
そして、受信信号ｒｋは、ウェイクアップＩＤを無線ＬＡＮフレームのフレーム長によって変調された構成からなり、等価ウェイクアップＩＤ（Ｅｋ）も、ウェイクアップＩＤを無線ＬＡＮフレームのフレーム長によって変調された構成からなり、ウェイクアップＩＤのマッチングを判定する方法１は、受信信号ｒｋが等価ウェイクアップＩＤ（Ｅｋ）に一致するか否かを判定することによってウェイクアップＩＤのマッチングを判定する。従って、ウェイクアップＩＤのマッチングを判定する方法１は、端末装置１で算出されたウェイクアップＩＤと無線基地局２で算出されたウェイクアップＩＤとのマッチングを無線ＬＡＮフレームを用いて判定する方法である。
【０１２３】
上述したように、端末装置１は、複数の無線ＬＡＮフレームＦＬ２，ＦＬ１，ＦＬ０，ＦＬ３をＳＩＦＳの間隔で時間方向に連続して送信するので、他の無線ＬＡＮフレームが複数の無線ＬＡＮフレームＦＬ２，ＦＬ１，ＦＬ０，ＦＬ３に割り込むことがない。その結果、無線基地局２は、無線ＬＡＮフレームＦＬ２，ＦＬ１，ＦＬ０，ＦＬ３のフレーム長が正確に反映された受信信号ｒｋを検出できる。即ち、無線基地局２は、無線ＬＡＮフレームＦＬ２，ＦＬ１，ＦＬ０，ＦＬ３によって表されたウェイクアップＩＤの誤検知率を抑制できる。
【０１２４】
なお、閾値は、“２９”に限らず、他の値に設定されてもよく、一般的には、許容誤数に応じて決定される。即ち、閾値は、許容誤数が相対的に多ければ、相対的に小さい値に設定され、許容誤数が相対的に少なければ、相対的に大きい値に設定される。
【０１２５】
（方法２）
図９は、ウェイクアップＩＤのマッチングを判定する他の方法を説明するための概念図である。
【０１２６】
この方法２は、ウェイクアップＩＤを構成する無線ＬＡＮフレームのフレーム長およびフレーム間スペース（＝ＳＩＦＳ）が正確でない場合に用いられる。
【０１２７】
ウェイクアップ信号受信機２２は、上述したように、包絡線ＥＮＶを検出し、その検出した包絡線ＥＮＶをサンプリング周期ｔｓａｍｐｌｉｎｇでサンプリングし、デジタル信号からなる受信信号ｒｋを得る。
【０１２８】
その後、ウェイクアップ信号受信機２２は、等価ウェイクアップＩＤ（Ｅｋ）と相関窓Ｗｋとを時間軸上において移動させながら（図９の紙面において等価ウェイクアップＩＤ（Ｅｋ）と相関窓Ｗｋとを左右に移動させながら）、相関窓Ｗｋが“０”でない部分、即ち、相関窓Ｗｋが“１”である部分窓において、それぞれ局所相関（ｒｋ＝＝Ｅｋ）を演算する。
【０１２９】
そして、ウェイクアップ信号受信機２２は、その演算した複数の局所相関のうち、最大の相関値に対応する位置から各無線ＬＡＮフレームの左右の端の位置を検出する。
【０１３０】
より具体的には、ウェイクアップ信号受信機２２は、等価ウェイクアップＩＤ（Ｅｋ）と相関窓Ｗｋとを時間軸上において移動させながら、相関窓Ｗｋが“１”である部分窓Ｗ１において、複数の局所相関（ｒｋ＝＝Ｅｋ）を演算する。そして、ウェイクアップ信号受信機２２は、その演算した複数の局所相関のうち、最大の相関値に対応する位置から無線ＬＡＮフレームＦＬ＿１の左端の位置Ｌ１を検出する。
【０１３１】
また、ウェイクアップ信号受信機２２は、等価ウェイクアップＩＤ（Ｅｋ）と相関窓Ｗｋとを時間軸上において移動させながら、相関窓Ｗｋが“１”である部分窓Ｗ２において、複数の局所相関（ｒｋ＝＝Ｅｋ）を演算する。そして、ウェイクアップ信号受信機２２は、その演算した複数の局所相関のうち、最大の相関値に対応する位置から無線ＬＡＮフレームＦＬ＿１の右端の位置Ｒ１と無線ＬＡＮフレームＦＬ＿２の左端の位置Ｌ２とを検出する。
【０１３２】
以下、同様にして、ウェイクアップ信号受信機２２は、相関窓Ｗｋが“１”である部分窓Ｗ３において、無線ＬＡＮフレームＦＬ＿２の右端の位置Ｒ２と無線ＬＡＮフレームＦＬ＿３の左端の位置Ｌ３とを検出する。また、ウェイクアップ信号受信機２２は、相関窓Ｗｋが“１”である部分窓Ｗ４において、無線ＬＡＮフレームＦＬ＿３の右端の位置Ｒ３を検出する。
【０１３３】
そうすると、ウェイクアップ信号受信機２２は、その検出した位置Ｌ１，Ｒ１，Ｌ２，Ｒ２，Ｌ３，Ｒ３に基づいて、無線ＬＡＮフレームＦＬ＿１〜ＦＬ＿３のフレーム長ＦＬＥＮ１〜ＦＬＥＮ３を求め、その求めたフレーム長ＦＬＥＮ１〜ＦＬＥＮ３をマップＭＡＰ１を参照してビット値に変換してウェイクアップＩＤを復調する。
【０１３４】
そして、ウェイクアップ信号受信機２２は、その復調したウェイクアップＩＤ（＝ＩＤｍ）と、自己が演算したウェイクアップＩＤ（＝ＩＤｏ）との相関を（（ＩＤｍ）＝＝（ＩＤｏ））によって演算する。
【０１３５】
その後、ウェイクアップ信号受信機２２は、その演算した相関値が閾値以上であれば、ウェイクアップＩＤ（＝ＩＤｍ）がウェイクアップＩＤ（＝ＩＤｏ）にマッチングすると判定し、その演算した相関値が閾値よりも小さければ、ウェイクアップＩＤ（＝ＩＤｍ）がウェイクアップＩＤ（＝ＩＤｏ）にマッチングしないと判定する。
【０１３６】
この場合、閾値は、ウェイクアップＩＤのビット数Ｎから許容誤数ｘを減算したＮ−ｘに設定される。
【０１３７】
このように、ウェイクアップＩＤのマッチングを判定する方法２においては、受信信号ｒｋの無線ＬＡＮフレームに相当する部分の両端部を検出し、その検出した両端部から無線ＬＡＮフレームのフレーム長を検出してウェイクアップＩＤを復調し、その復調したウェイクアップＩＤが無線基地局２で算出されたウェイクアップＩＤに一致する割合が閾値以上であるとき、ウェイクアップＩＤがマッチングすると判定し、復調したウェイクアップＩＤが無線基地局２で算出されたウェイクアップＩＤに一致する割合が閾値よりも小さいとき、ウェイクアップＩＤがマッチングしないと判定する。
【０１３８】
（方法３）
方法３は、上述した方法１と同じように、ウェイクアップＩＤを構成する無線ＬＡＮフレームのフレーム長およびフレーム間スペース（＝ＳＩＦＳ）が正確である場合に用いられる。
【０１３９】
図８において説明したように、無線基地局２のウェイクアップ信号受信機２２は、受信信号ｒｋを検出し、等価ウェイクアップＩＤ（Ｅｋ）を作成する。そして、ウェイクアップ信号受信機２２は、次式を用いて受信信号ｒｋと等価ウェイクアップＩＤ（Ｅｋ）との全相関ｃｏｒｒ＿ｔｏｔａｌを演算する。
【０１４０】
【数３】
2013085087.tif 000005
【０１４１】
全相関ｃｏｒｒ＿ｔｏｔａｌは、式（１）において、相関窓Ｗｋが受信信号ｒｋの全区間において“１”である場合の受信信号ｒｋと等価ウェイクアップＩＤ（Ｅｋ）との相関である。
【０１４２】
ウェイクアップ信号受信機２２は、式（３）を用いて全相関ｃｏｒｒ＿ｔｏｔａｌを演算すると、その演算した全相関ｃｏｒｒ＿ｔｏｔａｌを閾値と比較する。この場合は、閾値は、例えば、“６７”に設定される。図８に示すビットストリームＢＳ２，ＢＳ１，ＢＳ０，ＢＳ３の合計ビット数は、７０ビットであるので、３ビットの誤りを許容する場合、閾値は、“６７”になるからである。
【０１４３】
そして、ウェイクアップ信号受信機２２は、全相関ｃｏｒｒ＿ｔｏｔａｌが閾値（＝６７）以上であるとき、ウェイクアップＩＤがマッチングしたと判定し、全相関ｃｏｒｒ＿ｔｏｔａｌが閾値（＝６７）よりも小さいとき、ウェイクアップＩＤがマッチングしないと判定する。
【０１４４】
また、ウェイクアップ信号受信機２２は、方法３を用いる場合、次式によって、全相関ｃｏｒｒ＿ｔｏｔａｌを演算してもよい。
【０１４５】
【数４】
2013085087.tif 000006
【０１４６】
式（４）を用いて全相関ｃｏｒｒ＿ｔｏｔａｌを演算する場合、相関窓Ｗｋは、受信信号ｒｋの全区間において“１”に設定される。従って、式（４）の右辺の分母は、“７０”になる。
【０１４７】
ウェイクアップ信号受信機２２は、式（４）を用いて全相関ｃｏｒｒ＿ｔｏｔａｌを演算すると、その演算した全相関ｃｏｒｒ＿ｔｏｔａｌを閾値と比較する。この場合は、閾値は、例えば、“（６７／７０）”に設定される。図８に示すビットストリームＢＳ２，ＢＳ１，ＢＳ０，ＢＳ３の合計ビット数は、７０ビットであり、式（４）の右辺の分母は、“７０”であるので、３ビットの誤りを許容する場合、閾値は、“（６７／７０）”になるからである。
【０１４８】
そして、ウェイクアップ信号受信機２２は、全相関ｃｏｒｒ＿ｔｏｔａｌが閾値（＝６７／７０）以上であるとき、ウェイクアップＩＤがマッチングしたと判定し、全相関ｃｏｒｒ＿ｔｏｔａｌが閾値（＝６７／７０）よりも小さいとき、ウェイクアップＩＤがマッチングしないと判定する。
【０１４９】
このように、方法３は、受信信号ｒｋと等価ウェイクアップＩＤ（Ｅｋ）との全相関ｃｏｒｒ＿ｔｏｔａｌを演算することによって、ウェイクアップＩＤのマッチングを判定する方法である。
【０１５０】
上述したように、ウェイクアップＩＤのマッチングを判定する方法１，２は、部分窓Ｗ１〜Ｗ４を用いて部分相関ｃｏｒｒまたは局所相関を演算してウェイクアップＩＤのマッチングを判定する。従って、ウェイクアップＩＤのマッチングを判定する方法１，２は、部分窓を用いて無線ＬＡＮフレームの両端部を検出することによってウェイクアップＩＤのマッチングを判定する方法である。
【０１５１】
また、ウェイクアップＩＤのマッチングを判定する方法３は、相関窓Ｗｋの全区間を用いて全相関を演算してウェイクアップＩＤのマッチングを判定する。従って、ウェイクアップＩＤのマッチングを判定する方法３は、相関窓Ｗｋの全区間を用いて無線ＬＡＮフレームの両端部を検出することによってウェイクアップＩＤのマッチングを判定する方法である。
【０１５２】
図１０は、ウェイクアップ信号ＷＫＥを送受信する動作を説明するためのフローチャートである。
【０１５３】
図１０を参照して、一連の動作が開始されると、無線基地局２のウェイクアップ信号受信機２２は、上述した方法によって、ウェイクアップＩＤを算出し（ステップＳ１１）、その算出したウェイクアップＩＤを上述した方法によって等価ウェイクアップＩＤ（Ｅｑｕｉｖａｌｅｎｔ  ＩＤ）へ変調する（ステップＳ１２）。そして、無線基地局２のウェイクアップ信号受信機２２は、等価ウェイクアップＩＤを用いて上述した方法によって相関窓Ｗｋを作成する（ステップＳ１３）。
【０１５４】
一方、端末装置１のＣＰＵ１３は、上述した方法によって、ウェイクアップＩＤを算出し（ステップＳ１４）、その算出したウェイクアップＩＤを上述した方法によって無線ＬＡＮのフレーム長へ変調し（ステップＳ１５）、無線ＬＡＮのフレーム長を用いてブロードキャストフレーム（＝無線ＬＡＮフレームＦＬ２，ＦＬ１，ＦＬ０，ＦＬ３）を作成する（ステップＳ１６）。
【０１５５】
そして、端末装置１のＣＰＵ１３は、指示信号ＢＵＲＳＴを生成して無線ＬＡＮカード１２へ出力し、バーストモードを設定する（ステップＳ１７）。その後、端末装置１のＣＰＵ１３は、その作成した無線ＬＡＮフレームを一斉に無線ＬＡＮカード１２へ出力する（ステップＳ１８）。
【０１５６】
端末装置１の無線ＬＡＮカード１２は、ＣＰＵ１３からの指示信号ＢＵＲＳＴに応じてバーストモードへ移行し、ＣＰＵ１３から受けた無線ＬＡＮフレームを上述した方法によってバースト的に送信する（ステップＳ１９）。
【０１５７】
無線基地局２のウェイクアップ信号受信機２２は、アンテナ２１を介して電波を受信し（ステップＳ２０）、その受信した電波をウェイクアップ信号ＷＫＥの周波数を中心にしてバンドパスフィルタに掛ける（ステップＳ２１）。
【０１５８】
そして、無線基地局２のウェイクアップ信号受信機２２は、バンドパスフィルタに掛けた信号を包絡線検波し（ステップＳ２２）、包絡線を検出する。その後、無線基地局２のウェイクアップ信号受信機２２は、包絡線をサンプリング周期でサンプリングしてアナログ信号からデジタル信号に変換する（ステップＳ２３）。これによって、無線基地局２のウェイクアップ信号受信機２２は、受信信号ｒｋを得る。
【０１５９】
そうすると、無線基地局２のウェイクアップ信号受信機２２は、受信信号ｒｋ、等価ウェイクアップＩＤ（Ｅｋ）および相関窓Ｗｋを式（１）（または式（２））に代入して部分相関ｃｏｒｒを算出する（ステップＳ２４）。
【０１６０】
そして、無線基地局２のウェイクアップ信号受信機２２は、その算出した部分相関ｃｏｒｒが閾値以上であるか否かを判定する（ステップＳ２５）。
【０１６１】
ステップＳ２５において、相関ｃｏｒｒが閾値以上であると判定されたとき、無線基地局２のウェイクアップ信号受信機２２は、起動信号ＤＲＶ１を生成して電源２７へ出力する。即ち、無線基地局２のウェイクアップ信号受信機２２は、ウェイクアップ指示を出す（ステップＳ２６）。
【０１６２】
そして、ステップＳ２５において、相関ｃｏｒｒが閾値よりも小さいと判定されたとき、またはステップＳ２６の後、一連の動作が終了する。
【０１６３】
このように、図１０に示すフローチャートにおいては、無線基地局２のウェイクアップ信号受信機２２は、上述した方法１を用いてウェイクアップＩＤがマッチングするか否かを判定し、ウェイクアップＩＤがマッチングする場合、ウェイクアップ指示を出す。
【０１６４】
図１１は、ウェイクアップ信号ＷＫＥを送受信する他の動作を説明するためのフローチャートである。
【０１６５】
図１１に示すフローチャートは、図１０に示すフローチャートのステップＳ２４をステップＳ２４Ａ，Ｓ２４Ｂに代えたものであり、その他は、図１０に示すフローチャートと同じである。
【０１６６】
図１１を参照して、一連の動作が開始されると、上述したステップＳ１１〜Ｓ２３が実行される。そして、ステップＳ１２，Ｓ１３，Ｓ２３の後、無線基地局２のウェイクアップ信号受信機２２は、受信信号ｒｋ、等価ウェイクアップＩＤ（Ｅｋ）および相関窓Ｗｋに基づいて、上述した方法によって、無線ＬＡＮフレームの端を検知し、フレーム長を算出する（ステップＳ２４Ａ）。
【０１６７】
そして、無線基地局２のウェイクアップ信号受信機２２は、その検出したフレーム長をマップＭＡＰ１を参照してウェイクアップＩＤへ復調し、その復調したウェイクアップＩＤと、ステップＳ１１において算出したウェイクアップＩＤとの相関を算出算する。
【０１６８】
その後、上述したステップＳ２５，Ｓ２６が実行され、一連の動作が終了する。
【０１６９】
なお、図１０および図１１に示すフローチャートにおいては、部分相関を用いてウェイクアップＩＤのマッチングが判定される。しかし、この発明の実施の形態においては、全相関を用いてウェイクアップＩＤのマッチングが判定されてもよい。この場合、図１０に示すステップＳ２４において、上述した方法によって全相関ｃｏｒｒ＿ｔｏｔａｌが演算される。
【０１７０】
上述したように、この発明の実施の形態においては、端末装置１は、ウェイクアップＩＤを無線ＬＡＮフレームのフレーム長に変調してウェイクアップＩＤを示す複数の無線ＬＡＮフレームＦＬ２，ＦＬ１，ＦＬ０，ＦＬ３を生成し、その生成した複数の無線ＬＡＮフレームＦＬ２，ＦＬ１，ＦＬ０，ＦＬ３を２つの無線ＬＡＮフレーム間の間隔がＳＩＦＳになるように時間方向に連続して送信する。そして、無線基地局２は、端末装置１から送信された複数の無線ＬＡＮフレームＦＬ２，ＦＬ１，ＦＬ０，ＦＬ３を受信し、その受信した複数の無線ＬＡＮフレームＦＬ２，ＦＬ１，ＦＬ０，ＦＬ３の受信信号に基づいて、端末装置１が算出したウェイクアップＩＤと、自己が算出したウェイクアップＩＤとが一致すると判定したとき、スリープ状態から起動状態へ移行する。
【０１７１】
その結果、端末装置１以外の端末装置は、端末装置１が複数の無線ＬＡＮフレームＦＬ２，ＦＬ１，ＦＬ０，ＦＬ３を送信中、無線通信を行わないので、他の無線ＬＡＮフレームが複数の無線ＬＡＮフレームＦＬ２，ＦＬ１，ＦＬ０，ＦＬ３に割り込むことがない。
【０１７２】
従って、無線基地局２は、複数の無線ＬＡＮフレームＦＬ２，ＦＬ１，ＦＬ０，ＦＬ３のフレーム長を正確に検知でき、フレーム長によって表されたウェイクアップＩＤの誤検知率を抑制できる。
【０１７３】
図１０または図１１に示すフローチャートに従って、ウェイクアップ信号受信機２２は、ウェイクアップ指示を電源２７へ出力し、電源２７は、ウェイクアップ指示に応じて、電力を無線ＬＡＮカード２４、ＣＰＵ２５およびネットワーク接続カード２６へ供給する。そして、無線ＬＡＮカード２４、ＣＰＵ２５およびネットワーク接続カード２６は、電源２７からの電力によって駆動される。無線ＬＡＮカード２４は、駆動後、ビーコンフレームＢｅａｃｏｎをＣＰＵ２５から定期的に受けて端末装置１へ送信し、端末装置１と無線リンクを確立する。
【０１７４】
そうすると、無線ＬＡＮカード２４は、端末装置１からのパケットをアンテナ２１を介して受信し、その受信したパケットを復調してデータを取り出し、その取り出したデータをＣＰＵ２５へ出力する。また、無線ＬＡＮカード２４は、ＣＰＵ２５からデータを受け、その受けたデータを含むパケットを生成し、その生成したパケットを変調して端末装置１へ送信する。
【０１７５】
また、ネットワーク接続カード２６は、有線ケーブル２０およびネットワーク３０を介してパケットを受信し、その受信したパケットからデータを取り出してＣＰＵ２５へ出力するとともに、ＣＰＵ２５からデータを受けると、その受けたデータを含むパケットを生成して有線ケーブル２０およびネットワーク３０を介して送信する。
【０１７６】
更に、ＣＰＵ２５は、無線ＬＡＮカード２４とネットワーク接続カード２６との間でデータをやり取りする。
【０１７７】
このように、無線基地局２は、起動状態へ移行すると、端末装置１と無線通信を行うとともに、他の通信装置と有線ケーブル２０およびネットワーク３０を介して通信を行う。
【０１７８】
なお、上記においては、端末装置１は、２つの無線ＬＡＮフレーム間の間隔がＳＩＦＳになるように複数の無線ＬＡＮフレームＦＬ２，ＦＬ１，ＦＬ０，ＦＬ３を連続して送信すると説明したが、この発明の実施の形態においては、これに限らず、端末装置１は、２つの無線ＬＡＮフレーム間の間隔がＤＩＦＳまたはＰＩＦＳ（ＰＣＦ  Ｉｎｔｅｒｆｒａｍｅ  Ｓｐａｃｅ）になるように複数の無線ＬＡＮフレームＦＬ２，ＦＬ１，ＦＬ０，ＦＬ３を連続して送信してもよい。ＰＩＦＳは、ＤＩＦＳよりも短く、端末装置および無線基地局は、ＤＩＦＳの長さ以下の長さを有する固定長の間、チャネルがビジーであると扱うので、複数の無線ＬＡＮフレームＦＬ２，ＦＬ１，ＦＬ０，ＦＬ３が連続して送信されている間、無線ＬＡＮフレームを送信しない。従って、他の無線ＬＡＮフレームが複数の無線ＬＡＮフレームＦＬ２，ＦＬ１，ＦＬ０，ＦＬ３に割り込むことがなく、フレーム長によって表されたウェイクアップＩＤの誤検知率を抑制できる。
【０１７９】
そして、端末装置１は、一般的には、２つの無線ＬＡＮフレーム間の間隔が無線通信方式に応じて決定された固定長（＝キャリアセンスによってチャネルがビジーであると検知される固定長）になるように複数の無線ＬＡＮフレームＦＬ２，ＦＬ１，ＦＬ０，ＦＬ３を連続して送信してもよい。
【０１８０】
この場合、複数の無線ＬＡＮフレームの各々のフレーム長と、固定長とがサンプリング周期の整数倍になり、固定長の一部がビットストリームＢＳ０〜ＢＳ３を構成する。また、ウェイクアップＩＤを複数の無線ＬＡＮフレームと固定長とによって変調して等価ウェイクアップＩＤが作成される。
【０１８１】
また、この発明の実施の形態においては、無線ＬＡＮカード１２は、「送信手段」を構成し、ウェイクアップＩＤを構成する無線ＬＡＮフレームＦＬ２，ＦＬ１，ＦＬ０，ＦＬ３を生成するＣＰＵ１３は、「生成手段」を構成する。
【０１８２】
更に、この発明の実施の形態においては、無線ＬＡＮフレームＦＬ２，ＦＬ１，ＦＬ０，ＦＬ３を受信するウェイクアップ信号受信機２２は、「受信手段」を構成する。
【０１８３】
更に、この発明の実施の形態においては、受信された無線ＬＡＮフレームＦＬ２，ＦＬ１，ＦＬ０，ＦＬ３に基づいて受信信号ｒｋを検出するウェイクアップ信号受信機２２は、「検出手段」を構成する。
【０１８４】
更に、この発明の実施の形態においては、上述した方法１または方法２を用いてウェイクアップＩＤのマッチングを判定するウェイクアップ信号受信機２２は、「判定手段」を構成する。
【０１８５】
更に、この発明の実施の形態においては、ウェイクアップＩＤがマッチングするとき、起動信号ＤＲＶ１を生成するウェイクアップ信号受信機２２は、「起動手段」を構成する。
【０１８６】
更に、この発明の実施の形態においては、無線ＬＡＮカード２４、ＣＰＵ２５およびネットワーク接続カード２６は、「メイン装置」を構成する。
【０１８７】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０１８８】
この発明は、端末装置、それと無線通信を行う無線基地局、およびそれらを備える無線通信システムに適用される。
【符号の説明】
【０１８９】
１  端末装置、２  無線基地局、１０  無線通信システム、１１，２１  アンテナ、１２，２４  無線ＬＡＮカード、１３，２５  ＣＰＵ、１４，２３，２７  電源、２０  有線ケーブル、２２  ウェイクアップ信号受信機、２６  ネットワーク接続カード、３０  ネットワーク。
【図１】
2013085087.tif 000007
【図２】
2013085087.tif 000008
【図３】
2013085087.tif 000009
【図４】
2013085087.tif 000010
【図５】
2013085087.tif 000011
【図６】
2013085087.tif 000012
【図７】
2013085087.tif 000013
【図８】
2013085087.tif 000014
【図９】
2013085087.tif 000015
【図１０】
2013085087.tif 000016
【図１１】
2013085087.tif 000017